(57)【要約】【課題】ソフトウェアキーボードの操作性を向上させることが可能な入力装置、そのソフトウェアキーボード表示方法、及びコンピュータが実行可能なプログラムを提供することを目的とする。【解決手段】タッチパネル表示部に表示されるソフトウェアキーボードを使用して入力を行う入力装置において、前記タッチパネル表示部に前記ソフトウェアキーボードを表示し、かつ、前記ソフトウェアキーボードの特定のキーを水平方向及び垂直方向から指示するための指示表示を行うソフトウェアキーボード表示制御手段を備えている。【選択図】図１
2016110237.tif 000002
【特許請求の範囲】
【請求項１】
タッチパネル表示部に表示されるソフトウェアキーボードを使用して入力を行う入力装置において、
前記タッチパネル表示部に前記ソフトウェアキーボードを表示し、かつ、前記ソフトウェアキーボードの特定のキーを水平方向及び垂直方向から指示するための指示表示を行うソフトウェアキーボード表示制御手段を備えたことを特徴とする入力装置。
【請求項２】
前記ソフトウェアキーボードはＱＷＥＲＴＹ配列のキーボードであり、前記特定のキーは、操作者が前記ソフトウェアキーボードのホームポジションに手を置いたときに、左右の人差し指が配置された位置に対応する「Ｆ」と「Ｊ」のキーであることを特徴とする請求項１に記載の入力装置。
【請求項３】
前記指示表示は、前記ソフトウェアキーボードの前記特定のキーを含んで水平方向及び垂直方向の少なくとも一方に伸長する帯を識別表示することを含むことを特徴とする請求項１または請求項２に記載の入力装置。
【請求項４】
前記帯の識別表示は、前記帯をソフトウェアキーボードのキーと異なる色で表示すること、または、前記帯を点滅表示することを含むことを含む請求項３に記載の入力装置。
【請求項５】
前記指示表示は、前記ソフトウェアキーボードの外部に、水平方向及び垂直方向の少なくとも一方から前記特定キーを指示する指示記号を表示することを含むことを特徴とする特徴とする請求項１〜請求項４のいずれか１つに記載の入力装置。
【請求項６】
前記指示表示は、所定時間間隔で順次小さくなる円の表示を含むことを特徴とする請求項１〜請求項５のいずれか１つに記載の入力装置。
【請求項７】
前記入力装置は、１つの前記タッチパネル表示部を有するタブレット型の携帯型情報処理装置であることを特徴とする請求項１〜請求項６のいずれか１つに記載の入力装置。
【請求項８】
前記タッチパネル表示部は、第１のタッチパネル表示部と第２のタッチパネル表示部とを備え、
前記入力装置は、前記第１のタッチパネル表示部を備えた第１の筐体と、前記第２のタッチパネル表示部を備えた第２の筐体と、前記第１の筐体に対して前記第２の筐体を少なくとも１８０度回転可能に支持する連結部と、を備えた携帯型情報処理装置であり、
前記ソフトウェアキーボード表示制御手段は、前記第１のタッチパネル表示部または前記第２のタッチパネル表示部に前記ソフトウェアキーボードを表示し、かつ、前記ソフトウェアキーボードの特定のキーを水平方向及び垂直方向から指示するための指示表示を行うことを特徴とする請求項１〜請求項６のいずれか１つに記載の入力装置。
【請求項９】
前記ソフトウェアキーボード表示制御手段は、前記携帯型情報処理装置がクラムシェル状態の場合に、前記第１のタッチパネル表示部に前記ソフトウェアキーボードを表示し、
前記指示表示は、前記ソフトウェアキーボードの前記特定のキーを含んで水平方向に伸長する帯を識別表示し、かつ、前記第２のタッチパネル表示部に、前記特定キーを垂直方向から指示する指示記号を表示することを含むことを特徴とする請求項８に記載の入力装置。
【請求項１０】
タッチパネル表示部に表示されるソフトウェアキーボードを使用して入力を行う入力装置のソフトウェアキーボード表示方法であって、
前記タッチパネル表示部に前記ソフトウェアキーボードを表示し、かつ、前記ソフトウェアキーボードの特定のキーを水平方向及び垂直方向から指示するための指示表示を行う
工程を含むことを特徴とする入力装置のソフトウェアキーボード表示方法。
【請求項１１】
タッチパネル表示部に表示されるソフトウェアキーボードを使用して入力を行う入力装置に搭載されるプログラムであって、
前記タッチパネル表示部に前記ソフトウェアキーボードを表示し、かつ、前記ソフトウェアキーボードの特定のキーを水平方向及び垂直方向から指示するための指示表示を行う工程をコンピュータに実行させることを特徴とするコンピュータが実行可能なプログラム。
【発明の詳細な説明】
【技術分野】
【０００１】
本発明は、入力装置、そのソフトウェアキーボード表示方法、及びコンピュータが実行可能なプログラムに関する。
【背景技術】
【０００２】
従来より、ハードウェアキーボードに配列されているキートップの文字や記号などの表示内容を表示画面に表示させ、表示画面上の表示キーを操作することにより入力処理を行うことができるソフトウェアキーボードが知られている。
【０００３】
図８は、ハードウェアキーボードのホームキー「Ｆ」，「Ｊ」の近傍を示す図である。ハードウェアキーボードでは、図８に示すように、文字キーの文字表記に加え、ホームボジションの人差し指のボジションであるホームキー「Ｆ」，「Ｊ」に突起などを設けて、ホームポジションを分かり易くしている。
【０００４】
しかしながら、従来のソフトウェアキーボードでは、物理的な突起などを設けることができず、文字キーの文字表記のみで該当する文字キーを捜す必要がある。例えば、ソフトウェアキーボードでは、ホームキー「Ｆ」，「Ｊ」を探す場合も文字表記のみを見て捜す必要があるため、ハードウェアキーボードに比べて操作性が悪く、例えば、ブラインドタッチ等が困難であった。
【先行技術文献】
【特許文献】
【０００５】
【特許文献１】特開２００３−６７０９８号公報
【特許文献２】特開平１０−８３２４８号公報
【特許文献３】特開２０１２−１１８８４０号公報
【発明の概要】
【発明が解決しようとする課題】
【０００６】
本発明は、上記に鑑みてなされたものであり、ソフトウェアキーボードの操作性を向上させることが可能な入力装置、そのソフトウェアキーボード表示方法、及びコンピュータが実行可能なプログラムを提供することを目的とする。  
【課題を解決するための手段】
【０００７】
上述した課題を解決し、目的を達成するために、本発明は、タッチパネル表示部に表示されるソフトウェアキーボードを使用して入力を行う入力装置において、前記タッチパネル表示部に前記ソフトウェアキーボードを表示し、かつ、前記ソフトウェアキーボードの特定のキーを水平方向及び垂直方向から指示するための指示表示を行うソフトウェアキーボード表示制御手段を備えたことを特徴とする。
【０００８】
また、本発明の好ましい態様によれば、前記ソフトウェアキーボードはＱＷＥＲＴＹ配列のキーボードであり、前記特定のキーは、操作者が前記ソフトウェアキーボードのホームポジションに手を置いたときに、左右の人差し指が配置された位置に対応する「Ｆ」と「Ｊ」のキーであることが望ましい。
【０００９】
また、本発明の好ましい態様によれば、前記指示表示は、前記ソフトウェアキーボードの前記特定のキーを含んで水平方向及び垂直方向の少なくとも一方に伸長する帯を識別表示することを含むことが望ましい。
【００１０】
また、本発明の好ましい態様によれば、前記帯の識別表示は、前記帯をソフトウェアキーボードのキーと異なる色で表示すること、または、前記帯を点滅表示することを含むことが望ましい。
【００１１】
また、本発明の好ましい態様によれば、前記指示表示は、前記ソフトウェアキーボードの外部に、水平方向及び垂直方向の少なくとも一方から前記特定キーを指示する指示記号を表示することを含むことが望ましい。
【００１２】
また、本発明の好ましい態様によれば、前記指示表示は、所定時間間隔で順次小さくなる円の表示を含むことが望ましい。
【００１３】
また、本発明の好ましい態様によれば、前記入力装置は、１つの前記タッチパネル表示部を有するタブレット型の携帯型情報処理装置であることが望ましい。
【００１４】
また、本発明の好ましい態様によれば、前記タッチパネル表示部は、第１のタッチパネル表示部と第２のタッチパネル表示部とを備え、前記入力装置は、前記第１のタッチパネル表示部を備えた第１の筐体と、前記第２のタッチパネル表示部を備えた第２の筐体と、前記第１の筐体に対して前記第２の筐体を少なくとも１８０度回転可能に支持する連結部と、を備えた携帯型情報処理装置であり、前記ソフトウェアキーボード表示制御手段は、前記第１のタッチパネル表示部または前記第２のタッチパネル表示部に前記ソフトウェアキーボードを表示し、かつ、前記ソフトウェアキーボードの特定のキーを水平方向及び垂直方向から指示するための指示表示を行うことが望ましい。
【００１５】
また、本発明の好ましい態様によれば、前記ソフトウェアキーボード表示制御手段は、前記携帯型情報処理装置がクラムシェル状態の場合に、前記第１のタッチパネル表示部に前記ソフトウェアキーボードを表示し、前記指示表示は、前記ソフトウェアキーボードの前記特定のキーを含んで水平方向に伸長する帯を識別表示し、かつ、前記第２のタッチパネル表示部に、前記特定キーを垂直方向から指示する指示記号を表示することを含むことが望ましい。
【００１６】
また、上述した課題を解決し、目的を達成するために、本発明は、タッチパネル表示部に表示されるソフトウェアキーボードを使用して入力を行う入力装置のソフトウェアキーボード表示方法であって、前記タッチパネル表示部に前記ソフトウェアキーボードを表示し、かつ、前記ソフトウェアキーボードの特定のキーを水平方向及び垂直方向から指示するための指示表示を行う工程を含むことを特徴とする。
【００１７】
また、上述した課題を解決し、目的を達成するために、本発明は、タッチパネル表示部に表示されるソフトウェアキーボードを使用して入力を行う入力装置に搭載されるプログラムであって、前記タッチパネル表示部に前記ソフトウェアキーボードを表示し、かつ、前記ソフトウェアキーボードの特定のキーを水平方向及び垂直方向から指示するための指示表示を行う工程をコンピュータに実行させることを特徴とする。
【発明の効果】
【００１８】
本発明によれば、ソフトウェアキーボードの操作性を向上させることが可能な入力装置、そのソフトウェアキーボード表示方法、及びコンピュータが実行可能なプログラムを提供することが可能となるという効果を奏する。
【図面の簡単な説明】
【００１９】
【図１】図１は、本実施の形態に係る入力装置の概念図を示す図である。
【図２】図２は、本実施の形態に係る入力装置を適用したタブレット型の携帯型情報処理装置の概略の外観構成を示す平面図である。
【図３】図３は、実施例１に係るソフトウェアキーボードの表示例を示す図である。
【図４】図４は、実施例２に係るソフトウェアキーボードの表示例を示す図である。
【図５】図５は、実施例３に係るソフトウェアキーボードの表示例を示す図である。
【図６】図６は、実施例４に係るソフトウェアキーボードの表示例を示す図である。
【図７】図７は、本実施の形態に係る入力装置を開閉可能な２画面タイプのスマートフォン等の携帯型情報処理装置に適用した場合を説明するための模式図である。
【図８】図８は、ハードウェアキーボードのホームキー「Ｆ」，「Ｊ」の近傍を示す図である。
【発明を実施するための形態】
【００２０】
以下、本実施の形態に係る入力装置、そのソフトウェアキーボード表示方法、及びコンピュータが実行可能なプログラムを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、または他の方法、部品、材料でも本発明を実現できることが理解できる。    
【００２１】
図１は、本実施の形態に係る入力装置の概念図を示す図である。図１において、入力装置１は、タッチパネル３及び表示部４を備えたタッチパネル表示部２と、ソフトウェアキーボードをタッチパネル表示部２上に表示させると共に、ソフトウェアキーボードの特定のキーを水平方向及び垂直方向から指示するための指示表示を行うソフトウェアキーボード表示制御手段５と、タッチパネル表示部２のタッチパネル３の動作及び表示部４の表示動作等を制御し、例えば、ソフトウェアキーボードの操作に応じた表示を行う制御手段６と、を備えている。
【００２２】
ソフトウェアキーボード表示制御手段５及び制御手段６は、ソフトウアェア及び／またはハードウェアで構成することができる。コンピュータはプログラムを実行することにより、ソフトウェアキーボード表示制御手段５及び制御手段６の機能を実現することにしてもよい。
【００２３】
ソフトウェアキーボードは、ハードウェアキーボードの文字配列と同じ配列で、画面上にソフトウェアキーボードを表示した構成となっている。また、キーボードの文字配列には、一般的には、ＱＷＥＲＴＹ配列（アルファベット配列）と５０音配列とがあるが、本発明は、両者を含むものであるが、以下では、ＱＷＥＲＴＹ配列（アルファベット配列）を例示して説明する。
【００２４】
本実施の形態では、人間の目の周辺視野に着目して、操作者がソフトウェアキーボードの特定のキーを注視していない場合でも（直接に見なくても）、特定キーを認識し易くなるようにしている。すなわち、ソフトウェアキーボードの特定のキーを水平方向及び垂直方向から指示するための指示表示を行うことで、操作者が特定のキーを注視していなくても、操作者の周辺視野により、特定のキーを認識し易くしている。
【００２５】
ここで、視野とは、視覚刺激が処理できる視角の大きさであり、中心窩を基準として測定される。ヒト健常者の視野は、垂直方向に上側６０度、下側７５度程度である。水平方向では、単眼の場合、鼻側６０度、耳側１００度程度である。両眼で重複する視野が１２０度程度存在する。中心窩を基準に、左右や上下の領域を、左視野、上視野のように呼ぶ。各眼の耳側１５度程度の位置に盲点が存在する。中心窩から２０度程度の領域を中心視野と呼ぶ。それ以外の領域を周辺視野と呼ぶ。一般に中心視野ほど空間分解能が高い。周辺視野は中心視野ほど空間分解能は高くないが、操作者の周辺視野を利用してソフトウェアキーボードの特定のキーを認識し易くすることは可能である。
【００２６】
ソフトウェアキーボードはＱＷＥＲＴＹ配列のキーボードとしてもよく、また、特定のキーは、操作者がソフトウェアキーボードのホームポジションに手を置いたときに、左右の人差し指が配置された位置に対応する「Ｆ」と「Ｊ」のキー（ホームキー）としてもよい。
【００２７】
また、指示表示は、ソフトウェアキーボードの特定のキーを含んで水平方向及び垂直方向の少なくとも一方に伸長する帯を識別表示することを含むことにしてもよい。
【００２８】
また、帯の識別表示は、帯をソフトウェアキーボードのキーと異なる色で表示すること、または、帯を点滅表示することを含むことにしてもよい。
【００２９】
また、指示表示は、ソフトウェアキーボードの外部に表示された水平方向及び垂直方向の少なくとも一方から特定キーを指示する指示記号を含むことにしてもよい。
【００３０】
また、指示表示は、所定時間間隔で順次小さくなる円の表示を含むことにしてもよい。
【００３１】
図２は、本実施の形態に係る入力装置を適用したタブレット型の携帯型情報処理装置の概略の外観構成を示す平面図である。
【００３２】
携帯型情報処理装置１は、図２に示すように、平面視略四角形状を呈する略六面体形状の筐体１０を備えている。携帯型情報処理装置１は、筐体１０の正面に、タッチパネル３及び表示部４で構成されるタッチパネル表示部２が配置されている。
【００３３】
タッチパネル表示部２は、正面の中央の略全域に亘って配置されている。タッチパネル表示部２は、表示部４と、表示部４に重畳されたタッチパネル３とを有する。タッチパネル３は、指やペン等の指示体を用いてタッチパネル３に対して行われた各種操作を、操作が行われた場所のタッチパネル３上での位置とともに検出し、制御手段６に通知する。タッチパネル３が各種操作を検出する方式は、静電容量式、感圧式等の方式を採用することができる。
【００３４】
表示部４は、例えば、液晶ディスプレイ（ＬＣＤ：Liquid  Crystal  Display）や、有機ＥＬ（Organic  Electro−Luminescence）パネルなどで構成され、文字や図形等を表示する。
【００３５】
図２に示す例では、タッチパネル表示部２に、ソフトウェアキーボード表示制御手段５により、ソフトウェアキーボード２０が表示されており、また、制御手段６により、ソフトウェアキーボード２０の操作に応じた表示が行われる文章編集エリア３０が表示されている。
【００３６】
ソフトウェアキーボード２０は、上段の左からＱ，Ｗ，Ｅ，Ｒ・・・と文字キーが配列され、中段の左からＡ，Ｓ，Ｄ，Ｆ・・・と文字キーが配列され、下段の左からＺ，Ｘ，Ｃ，Ｖ・・・と文字キーが配列されている。ソフトウェアキーボード２０のホームキー「Ｆ」と「Ｊ」を特定のキーとする。
【００３７】
以下に、ソフトウェアキーボード表示制御手段６によるソフトウェアキーボード２０の表示例について、実施例１〜実施例４を説明する。以下の実施例１〜４では、ホームキー「Ｆ」と「Ｊ」を水平方向及び垂直方向から指示するための指示表示を行うことで、操作者が文章編集エリア３０を見ながらソフトウェアキーボード２０でキー操作を行う場合（ホームキー「Ｆ」，「Ｇ」を注視していない場合）でも、操作者の周辺視野を利用して、ホームキー「Ｆ」，「Ｇ」を認識し易くしている。これにより、ソフトウェアキーボード２０に対してブラインドタッチを行うことが容易となる。
【００３８】
（実施例１）
図３は、実施例１に係るソフトウェアキーボード２０の表示例を示す図である。実施例１では、ソフトウェアキーボード２０において、ホームキー「Ｆ」とホームキー「Ｊ」を含む水平方向に伸長する帯４０を識別表示している。識別表示では、帯４０をソフトウェアキーボード２０のキーと異なる色で表示したり、点滅表示することにしてもよい。また、ソフトウェアキーボード２０の外部に、ホームキー「Ｆ」とホームキー「Ｊ」をそれぞれ垂直方向から指示するための指示記号５０Ｆ，５０Ｊを表示している。ここでは、指示記号５０Ｆ，５０Ｊを逆三角形の図形としているが、ホームキー「Ｆ」とホームキー「Ｊ」を指示できるもの（指し示すことができるもの）であればいかなる記号でもよく、例えば、「↓」等でもよい。
【００３９】
これにより、操作者は文章編集エリア３０を見ながらソフトウェアキーボード２０でキー操作を行う場合（ホームキー「Ｆ」、「Ｊ」を注視していない場合）でも、操作者の周辺視野により、水平方向の帯４０の識別表示と、垂直方向の指示記号５０Ｆ、５０Ｊが目に入り、ホームキー「Ｆ」、「Ｊ」を認識し易くすることができる。
【００４０】
なお、実施例１では、ソフトウェアキーボード２０において、ホームキー「Ｆ」とホームキー「Ｊ」を含んで水平方向に伸長する帯４０を識別表示し、ソフトウェアキーボード２０の外部に、ホームキー「Ｆ」とホームキー「Ｊ」をそれぞれ垂直方向から指示するための指示記号５０Ｆ，５０Ｊを表示しているが、本発明はこれに限られものではなく、ホームキー「Ｆ」とホームキー「Ｊ」をそれぞれ含む垂直方向に伸長する帯を識別表示し、ソフトウェアキーボード２０の外部に、ホームキー「Ｆ」とホームキー「Ｊ」をそれぞれ水平方向から指示するための指示記号を表示することにしてもよい。
【００４１】
（実施例２）
図４は、実施例２に係るソフトウェアキーボード２０の表示例を示す図である。実施例２では、ソフトウェアキーボード２０の外部に、ホームキー「Ｆ」とホームキー「Ｊ」をそれぞれ垂直方向から指示するための指示記号５０Ｆ，５０Ｊと、ホームキー「Ｆ」とホームキー「Ｊ」をそれぞれ水平方向から指示するための指示記号６０Ｆ，６０Ｊを表示している。
【００４２】
これにより、操作者は文章編集エリア３０を見ながらソフトウェアキーボード２０でキー操作を行う場合（ホームキー「Ｆ」、「Ｊ」を注視していない場合）でも、操作者の周辺視野により、垂直方向の指示記号５０Ｆ、５０Ｊと水平方向の指示記号６０Ｆ，６０Ｊが目に入り、ホームキー「Ｆ」，「Ｊ」を認識し易くすることができる。
【００４３】
（実施例３）
図５は、実施例３に係るソフトウェアキーボード２０の表示例を示す図である。実施例３では、ソフトウェアキーボード２０において、ホームキー「Ｆ」とホームキー「Ｊ」を含んで水平方向に伸長する帯４０を識別表示し、また、ホームキー「Ｆ」，ホームキー「Ｊ」をそれぞれ含んで垂直方向に伸長する帯４０Ｆ，４０Ｊを識別表示している。
【００４４】
これにより、操作者は文章編集エリア３０を見ながらソフトウェアキーボード２０でキー操作を行う場合（ホームキー「Ｆ」，「Ｊ」を注視していない場合）でも、操作者の周辺視野により、水平方向の帯４０の識別表示と、垂直方向の帯４０Ｆ，４０Ｊが目に入り、ホームキー「Ｆ」、「Ｊ」を認識し易くすることができる。
【００４５】
（実施例４）
図６は、実施例４に係るソフトウェアキーボード２０の表示例を示す図である。実施例４では、ソフトウェアキーボード２０において、ホームキー「Ｆ」とホームキー「Ｊ」を水平方向及び垂直方向から指示するために、所定時間間隔で順次小さくなる円７０Ｆ、７０Ｊを表示している。同図に示す例では、円７０Ｆ，７０Ｊが４段階に小さくなる場合を示している。
【００４６】
これにより、操作者は文章編集エリア３０を見ながらソフトウェアキーボード２０でキー操作を行う場合（ホームキー「Ｆ」，「Ｊ」を注視していない場合）でも、操作者の周辺視野により、所定時間間隔で順次小さくなる円７０Ｆ，７０Ｊが目に入り、ホームキー「Ｆ」，「Ｊ」を認識し易くすることができる。
【００４７】
なお、実施例１〜４は、単独で実施してもよいし、組み合わせて実施してもよい。
【００４８】
（変形例）
上記図２では、本実施の形態に係る入力装置１をタブレット型の携帯型情報処理装置に適用した場合について説明したが、本発明はこれに限られるものではなく、開閉可能な２画面タイプのスマートフォン等の携帯型情報処理装置にも適用可能である。図７は、本実施の形態に係る入力装置１を開閉可能な２画面タイプのスマートフォン等の携帯型情報処理装置に適用した場合を説明するための模式図である。
【００４９】
携帯型情報処理装置１は、図７に示すように、第１のタッチパネル表示部１０１が設けられた第１の筐体１００と、第２のタッチパネル表示部２０１が設けられた第２の筐体２００と、第１の筐体１００と第２の筐体２００とを回転可能に連結する一対のヒンジ（連結部）３００とを備えている。第１のタッチパネル表示部１０１は、第１の表示部１０３と、第１の表示部１０３に重畳された第１のタッチパネル１０２とを有する。第２のタッチパネル表示部２０１は、第２の表示部２０３と、第２の表示部２０３に重畳された第２のタッチパネル２０２とを有する。
【００５０】
ヒンジ３００は、第１の筐体１００に対して第２の筐体２００を実質的に３６０度回転可能に連結する。第１の筐体１００と第２の筐体２００との角度を「θ」とした場合、（１）角度θ＝０度で、第１のタッチパネル表示部１０１と第２のタッチパネル表示部２０１が内側を向いて対向する状態をクローズ（Ｃｌｏｓｅ）状態、（２）０度＜θ＜１８０度の状態をクラムシェル（Ｃｌａｍｓｈｅｌｌ）状態、（３）θ＝１８０度の状態をタブレット状態、角度θ＝３６０度で第１のタッチパネル表示部１０１と第２のタッチパネル表示部２０１が外側を向いた状態をオープン（Ｏｐｅｎ）状態と称する。なお、ヒンジ３００は、第１の筐体１００に対して第２の筐体２００を１８０度回転可能に連結してもよい。
【００５１】
ソフトウェアキーボード表示制御手段６は、第１のタッチパネル表示部１０１または第２のタッチパネル表示部２０１にソフトウェアキーボード２０を表示し、かつ、実施例１〜４のような、ソフトウェアキーボード２０の特定のキーを水平方向及び垂直方向から指示するための指示表示を行う。制御手段６は、第１のタッチパネル表示部１０１または第２のタッチパネル表示部２０１に文章編集エリアを表示してもよい。
【００５２】
図７に示す例では、携帯型情報処理装置１がクラムシェル状態にある場合を示している。一例では、携帯型情報処理装置１がクラムシェル状態にある場合には、図７に示すように、ソフトウェアキーボード表示制御手段５は、第１のタッチパネル表示部１０１にソフトウェアキーボード２０を表示してもよい。また、制御手段６は、第２のタッチパネル表示部２０１に文章編集エリアを表示してもよい。また、ソフトウェアキーボード表示制御手段５は、第１のタッチパネル表示部１０１に表示されるソフトウェアキーボード２０において、ホームキー「Ｆ」とホームキー「Ｊ」を含んで水平方向に伸長する帯４０を識別表示してもよい。識別表示では、帯４０をソフトウェアキーボード２０のキーと異なる色で表示したり、また、点滅表示することにしてもよい。また、ソフトウェアキーボード表示制御手段５は、第２のタッチパネル表示部２０１に、ソフトウェアキーボード２０のホームキー「Ｆ」，「Ｊ」をそれぞれ垂直方向から指示するための指示記号５０Ｆ，５０Ｊを表示してもよい。
【００５３】
これにより、操作者は第２のタッチパネル表示部２０１を見ながらソフトウェアキーボード２０でキー操作を行う場合（ホームキー「Ｆ」，「Ｊ」を注視していない場合）でも、操作者の周辺視野により、水平方向の帯４０の識別表示と、垂直方向の指示記号５０Ｆ，５０Ｊが目に入り、ホームキー「Ｆ」，「Ｊ」を認識し易くすることができる。
【００５４】
以上説明したように、本実施の形態によれば、ソフトウェアキーボード２０の特定のキーを水平方向及び垂直方向から指示するための指示表示を行うこととしたので、操作者は特定のキーを注視しなくても、操作者の周辺視野を利用して特定のキーを認識し易くすることができ、ソフトウェアキーボードの操作性を向上させることが可能となる。また、特定のキーを認識し易くすることで、ブラインドタッチが実行し易くなる。
【００５５】
なお、上記実施の形態では、本発明に係る入力装置をタブレット型及び２画面タイプの携帯型情報処理装置を例示して説明したが、本発明はこれに限られるものではなく、ノートＰＣ、携帯電話端末、スマートフォン、ファブレット、ＰＤＡ等の他の携帯型情報処理装置にも適用可能である。
【００５６】
また、上記実施の形態では、ソフトウェアキーボードとして、ＱＷＥＲＴＹ配列のキーボードを例示して説明したが、本発明はこれに限られるものではなく、他のキー配列のキーボードとしてもよい。また、特定のキーは、ホームキー「Ｆ」，「Ｊ」に限られるものではなく、他のキーを使用してもよい。
【符号の説明】
【００５７】
１  入力装置
２  タッチパネル表示部
３  タッチパネル
４  表示部
５  ソフトウェアキーボード表示制御手段
６  制御手段
１０  筐体
２０  ソフトウェアキーボード
３０  文章編集エリア
４０，４０Ｆ，４０Ｊ  帯
５０Ｆ，５０Ｊ，６０Ｆ，６０Ｊ  指示記号
７０Ｆ，７０Ｊ  円
１００  第１の筐体
１０１  第１のタッチパネル表示部
１０２  第１のタッチパネル
１０３  第１の表示部
２００  第２の筐体
２０１  第２のタッチパネル
２０２  第２のタッチパネル
２０３  第２の表示部
３００  連結部（ヒンジ）
【図１】
2016110237.tif 000003
【図２】
2016110237.tif 000004
【図３】
2016110237.tif 000005
【図４】
2016110237.tif 000006
【図５】
2016110237.tif 000007
【図６】
2016110237.tif 000008
【図７】
2016110237.tif 000009
【図８】
2016110237.tif 000010